(57)【要約】【課題】詰まり異常の発生か第２水位検出手段の異常の発生かを判別する給湯器付風呂装置を提供する。【解決手段】ドレン水位が第１の所定値に到達したことを検出する第１水位センサ３５を備えた中和器３３と、中和したドレンの水位が第２の所定値に到達したことを検出する第２水位センサ３８を備えたドレンタンク３７と、中和したドレンをドレンタンクに導く導入路３６と、ドレンタンクのドレンを追い焚き循環路１１に導くドレン導出路４２と、ドレンタンクのドレンを追い焚き循環路の外部に排出するドレン排出制御手段と、を備え、ドレン排出制御手段は、第２水位センサの検出水位が第２の所定値に到達せず第１水位センサの検出水位が第１の所定値に到達したとき、ドレンを追い焚き循環路の外部に排出し、第１水位センサの検出水位が第１の所定値よりも低下したか否かに基づき、導入路の詰まり異常の発生か第２水位センサの異常の発生かを判別する。【選択図】図１
2015098957.tif 000002
【特許請求の範囲】
【請求項１】
バーナの燃焼により発生する燃焼ガスから顕熱及び潜熱を回収する熱交換部が設けられた給湯回路を有すると共に、浴槽に接続される追い焚き循環路を有しており、該追い焚き循環路は、接続路を介して前記給湯回路と接続可能とされて、前記熱交換部によって発生するドレンを受け入れて該ドレンを中和する中和剤が収容され、前記受け入れたドレンの水位が第１の所定値に到達したことを検出する第１水位検出手段が設けられた中和器と、該中和器の下流側に配置されて前記中和剤によって中和したドレンを内部に貯留して、該貯留したドレンの水位が第２の所定値に到達したことを検出する第２水位検出手段が設けられたドレン貯留手段と、前記中和器と前記ドレン貯留手段とを連結して、前記中和したドレンを前記ドレン貯留手段に導く導入路と、前記ドレン貯留手段に貯留した前記ドレンを前記追い焚き循環路に導くドレン導出路と、を有し、前記追い焚き循環路には、該追い焚き循環路に導かれた前記ドレンを排出するための排出路が接続可能とされており、前記ドレン貯留手段に貯留したドレンを、前記ドレン導出路と前記追い焚き循環路と前記排出路とを通して該追い焚き循環路の外部に排出するドレン排出制御手段を備えた給湯器付風呂装置であって、
前記ドレン排出制御手段は、前記第２水位検出手段の検出水位が前記第２の所定値に到達しておらず、前記第１水位検出手段の検出水位が前記第１の所定値に到達したときに、前記ドレンを前記追い焚き循環路の外部に排出し、
前記ドレンを前記追い焚き循環路の外部に排出することにより、前記第１水位検出手段の検出水位が前記第１の所定値よりも低下したか否かに基づいて、前記導入路が詰まる詰まり異常が発生しているかあるいは前記第２水位検出手段の異常が発生しているかを判別する判別手段を設けたことを特徴とする給湯器付風呂装置。
【請求項２】
前記第１水位検出手段の検出水位が前記第１の所定値よりも低下しないことに基づいて、前記判別手段は、前記詰まり異常が発生していると判別し、
前記判別手段によって、前記詰まり異常が発生していると判別したときに、前記バーナの燃焼を停止させる燃焼停止手段を設けたことを特徴とする請求項１に記載の給湯器付風呂装置。
【請求項３】
前記第１水位検出手段の検出水位が前記第１の所定値よりも低下したことに基づいて、前記判別手段は、前記第２水位検出手段の異常が発生していると判別し、
前記判別手段によって、前記第２水位検出手段の異常が発生していると判別したときに、該異常の発生を報知する報知手段を設けたことを特徴とする請求項１又は２に記載の給湯器付風呂装置。
【発明の詳細な説明】
【技術分野】
【０００１】
この発明は、バーナの燃焼により発生する燃焼ガスから潜熱及び顕熱を回収する熱交換部において発生するドレンを受け入れる中和器と、該中和器によって中和したドレンを内部に貯留するドレン貯留手段と、該ドレン貯留手段に貯留したドレンを、浴槽に接続される追い焚き循環路に導いた後に該追い焚き循環路の外部に排出するドレン排出制御手段と、を備えた給湯器付風呂装置に関する。
【背景技術】
【０００２】
例えば、特許文献１の図１には、バーナの燃焼によって発生するドレンを貯留するドレン貯留手段から、該ドレンを、浴槽に接続された追い焚き循環路と接続可能なドレン排水ユニットを通じて、浴室の排水パンに排出する給湯器付風呂装置が開示されている。この給湯器付風呂装置では、ドレンを中和する中和剤が収容された中和器に、該ドレンの水位が第１の所定値に到達したことを検出する第１水位検出手段が設けられ、前記中和剤によって中和したドレンを貯留するドレン貯留手段が前記中和器の下流側に配置されて、このドレン貯留手段に、該ドレン貯留手段に貯留したドレンが第２の所定値に到達したことを検出する第２水位検出手段が設けられている。その上で、中和器とドレン貯留手段とが、前記中和したドレンをドレン貯留手段に導く導入路によって連結されている。一般に、この給湯器付風呂装置では、ドレン貯留手段の第２水位検出手段の検出水位が第２の所定値に到達したときに、ドレンを、ドレン貯留手段から追い焚き循環路及びドレン排出ユニットを通じて、排水パンに排出するようにしている。
【先行技術文献】
【特許文献】
【０００３】
【特許文献１】特開２０１３−５０２５６号公報
【発明の概要】
【発明が解決しようとする課題】
【０００４】
ところで、上記の給湯器付風呂装置では、第２水位検出手段の検出水位が第２の所定値に到達していない場合でも、中和器に設けられた第１水位検出手段の検出水位が第１の所定値に到達した場合には、中和器がドレンを過剰に受け入れることで該中和器からドレンが溢れることを防止するために、バーナの燃焼を停止させていた。
【０００５】
しかしながら、第２水位検出手段の検出水位が第２の所定値に到達せず、第１水位検出手段の検出水位が第１の所定値に到達した場合には、中和器から漏れ出た中和剤が前記導入路に溜まることによる該導入路の詰まりが原因となって、中和器内のドレン水位が第１の所定値に到達すると共に、ドレン貯留手段にドレンが貯留されていないことで該ドレンの水位が第２の所定値に到達しない異常状態が発生していることが考えられる。これ以外にも、中和器に加えてドレン貯留手段にもドレンが貯留されて、本来は該ドレンの水位が第２の所定値に到達しているにもかかわらず、例えば断線等が原因となって、第２水位検出手段に異常が生じていることから、第２水位検出手段の検出水位が第２の所定値に到達したことを検出できない異常状態が発生していることも考えられる。仮に、前記導入路が詰まる詰まり異常が発生しているのか、あるいは第２水位検出手段の異常が発生しているのかを判別できれば、例えば給湯器付風呂装置の故障箇所の特定に役立つという利点が挙げられる。
【０００６】
この発明は、このような状況に鑑み提案されたものであって、中和器とドレン貯留手段とを連結する導入路の詰まり異常が発生しているかあるいは第２水位検出手段の異常が発生しているかを簡単に判別できる給湯器付風呂装置を提供することを目的とする。
【課題を解決するための手段】
【０００７】
上記目的を達成するために、請求項１に記載の発明は、バーナの燃焼により発生する燃焼ガスから顕熱及び潜熱を回収する熱交換部が設けられた給湯回路を有すると共に、浴槽に接続される追い焚き循環路を有しており、追い焚き循環路は、接続路を介して給湯回路と接続可能とされて、熱交換部によって発生するドレンを受け入れてドレンを中和する中和剤が収容され、受け入れたドレンの水位が第１の所定値に到達したことを検出する第１水位検出手段が設けられた中和器と、中和器の下流側に配置されて中和剤によって中和したドレンを内部に貯留して、貯留したドレンの水位が第２の所定値に到達したことを検出する第２水位検出手段が設けられたドレン貯留手段と、中和器とドレン貯留手段とを連結して、中和したドレンをドレン貯留手段に導く導入路と、ドレン貯留手段に貯留したドレンを追い焚き循環路に導くドレン導出路と、を有し、追い焚き循環路には、追い焚き循環路に導かれたドレンを排出するための排出路が接続可能とされており、ドレン貯留手段に貯留したドレンを、ドレン導出路と追い焚き循環路と排出路とを通して追い焚き循環路の外部に排出するドレン排出制御手段を備えた給湯器付風呂装置であって、ドレン排出制御手段は、第２水位検出手段の検出水位が第２の所定値に到達しておらず、第１水位検出手段の検出水位が第１の所定値に到達したときに、ドレンを追い焚き循環路の外部に排出し、ドレンを追い焚き循環路の外部に排出することにより、第１水位検出手段の検出水位が第１の所定値よりも低下したか否かに基づいて、導入路が詰まる詰まり異常が発生しているかあるいは第２水位検出手段の異常が発生しているかを判別する判別手段を設けたことを特徴とするものである。
請求項２に記載の発明は、請求項１に記載の構成において、第１水位検出手段の検出水位が第１の所定値よりも低下しないことに基づいて、判別手段は、詰まり異常が発生していると判別し、判別手段によって、詰まり異常が発生していると判別したときに、バーナの燃焼を停止させる燃焼停止手段を設けたことを特徴とするものである。
請求項３に記載の発明は、請求項１又は２に記載の構成において、第１水位検出手段の検出水位が第１の所定値よりも低下したことに基づいて、判別手段は、第２水位検出手段の異常が発生していると判別し、判別手段によって、第２水位検出手段の異常が発生していると判別したときに、異常の発生を報知する報知手段を設けたことを特徴とするものである。
【発明の効果】
【０００８】
請求項１に記載の発明によれば、ドレン排出制御手段によって、ドレン貯留手段に貯留したドレンを追い焚き循環路の外部に排出することによって、第１水位検出手段により、導入路によって前記ドレン貯留手段と連結されて該ドレン貯留手段の上流側に配置された中和器内のドレン水位が、第１の所定値よりも低下したか否かを検出するだけで、判別手段が、この検出結果に基づいて、前記導入路が詰まる詰まり異常が発生しているかあるいは第２水位検出手段の異常が発生しているかを簡単に判別できる。加えて、例えば、詰まり異常が発生していると判別したときとは異なり、第２水位検出手段の異常が発生していると判別したときにバーナの燃焼を停止させなければ、給湯器付き風呂装置の給湯運転を継続できる。これにより、この給湯器付風呂装置の使い勝手が良くなる。
請求項２に記載の発明によれば、判別手段によって、詰まり異常が発生していると判別したときに、燃焼停止手段によってバーナの燃焼を停止させると、バーナの燃焼ガスが液化してドレンが発生することがない。よって、前記詰まり異常が発生した状態で、中和器がドレンを受け入れることがない。したがって、ドレンが中和器から溢れることを防止できる。
請求項３に記載の発明によれば、ユーザは、報知手段の報知内容によって、第２水位検出手段の異常が発生していることを簡単に知ることができる。これにより、ユーザに第２水位検出手段の点検や補修を促すことができる。
【図面の簡単な説明】
【０００９】
【図１】本発明の実施形態の給湯器付風呂装置の概略システム図である。
【図２】給湯器付風呂装置においてドレンタンクに貯留したドレンを浴室の外部に排出するための概略制御ブロック図である。
【図３】給湯器風呂装置が備える風呂給湯器のコントローラが実行してドレン導入管の詰まり異常が発生しているかあるいはドレンタンクに設けられた第２水位センサの異常が発生しているかを判別する処理に関するフローチャートである。
【図４】その第２フローチャートである。
【発明を実施するための形態】
【００１０】
本発明の実施形態を図１ないし図４を参照しつつ説明する。図１には本発明の実施形態の給湯器付風呂装置１の概略システム図を示した。この給湯器付風呂装置１は、風呂給湯器２と、浴室３に設置された浴槽４とを備えている。風呂給湯器２内には、図示しない第１バーナが配設されている。風呂給湯器２内で前記第１バーナの燃焼ガスの上流側に顕熱回収用熱交換器（図示せず。）が配設され、前記燃焼ガスの下流側に潜熱回収用熱交換器７（図１参照。）が配設されている。この顕熱回収用熱交換器は前記燃焼ガスの顕熱を回収する。一方、潜熱回収用熱交換器７は前記燃焼ガスの顕熱及び潜熱を回収する。そして風呂給湯器２内には、顕熱回収用熱交換器と潜熱回収用熱交換器７とを備えた給湯回路が形成されている。この給湯回路では、図示しない給水管が潜熱回収用熱交換器７の入口側に接続され、該潜熱回収用熱交換器７の出口側が、前記顕熱回収用熱交換器の入口側に接続されている。これに加えて、該顕熱回収用熱交換器の出口側に出湯管（図示せず。）が接続されている。なお、顕熱回収用熱交換器及び潜熱回収用熱交換器７は本発明の熱交換部の一例である。
【００１１】
一方、風呂給湯器２内には、図示しない第２バーナが配設されている。風呂給湯器２内で第２バーナの上側には、図１に示す追い焚き熱交換器１０が配設されている。この追い焚き熱交換器１０は、浴槽４に接続される追い焚き循環路１１に設けられている。追い焚き循環路１１は、往き管１２と戻り管１３とによって形成されている。この往き管１２は、風呂循環ポンプ１４の吐出口側に接続されている。さらに往き管１２には、該往き管１２内を湯水が流通するときにオン状態になる水流スイッチ１５が設けられている。加えて往き管１２には、該往き管１２内を流通する湯水の温度を検出するサーミスタ１６が設けられている。また、往き管１２の途中には第１三方切替弁１７が接続されている。この第１三方切替弁１７には、浴室３と連通する排出路１８が接続されている。この第１三方切替弁１７によって、往き管１２と戻り管１３とが連通する状態と、往き管１２と排出路１８とが連通して往き管１２と戻り管１３とが連通しない状態と、に切り替え可能に構成されている。
【００１２】
図１に示すように戻り管１３は、風呂循環ポンプ１４の吸込口側に接続されている。加えて戻り管１３には、該戻り管１３内を流通する湯水の温度を検出するサーミスタ２５が設けられている。また、戻り管１３の途中には第２三方切替弁２６が接続されている。この第２三方切替弁２６には、本発明の接続路としての注湯路２７の一端側が接続されている。また注湯路２７の他端側は、前記出湯管に接続可能とされている。この注湯路２７の他端側には、出湯管を開閉可能な電磁弁２８が設けられている。さらに注湯路２７には、追い焚き循環路１１から注湯路２７への逆流や後述するドレン導出路４２から注湯路２７への逆流を防止する逆止弁２９と、注湯路２７から出湯管への逆流を防止する逆止弁３０とが設けられている。これに加えて注湯路２７には、該注湯路２７内の湯水の流量を検出する流量センサ３１が設けられている。この注湯路２７の途中には、第３三方切替弁３２が接続されている。
【００１３】
図１に示すように潜熱回収用熱交換器７の下側には、中和器３３が設けられている。この中和器３３には、潜熱回収用熱交換器７で発生した酸性のドレンが受け入れられる。そして中和器３３には、前記ドレンを中和する中和剤（ここでは粒状の炭酸カルシウム、図示せず。）が収容されていると共に、中和器３３内には、未中和のドレンが中和器３３の外部に流出することを防ぐ仕切板３４が設置されている。これに加えて中和器３３には、該中和器３３内のドレン水位が上限水位に到達したことを検出する第１水位センサ３５，３５が設けられている。さらに、中和器３３の出口には、本発明の導入路としてのドレン導入管３６が接続されており、このドレン導入管３６の出口側は、中和器３３の下流側（図１の下側）に配置されたドレンタンク３７と接続されている。このように、中和器３３とドレンタンク３７とは、ドレン導入管３６によって連結されている。ドレンタンク３７の内部には、中和器３３の中和剤によって中和した所定量のドレンが一時的に貯留可能とされている。加えてドレンタンク３７には、該ドレンタンク３７内のドレン水位を検出する第２水位センサ３８〜４０が設けられ、ドレンタンク３７の上部には、ドレンタンク３７内の空気をドレンタンク３７の外部に排出する空気抜きパイプ４１が接続されている。本実施形態では、第２水位センサ３８によって、ドレンタンク３７内のドレン水位が上限水位に到達したことを検出可能とし、第２水位センサ３９によって、ドレンタンク３７内のドレン水位が下限水位よりも低下したことを検出可能とした。さらには、ドレンタンク３７の下部に、該ドレンタンク３７に貯留されたドレンを追い焚き循環路１１側へ導くためのドレン導出路４２の一端側が接続されている。このドレン導出路４２の他端側は前記第３三方切替弁３２（図１参照。）と接続されている。またドレン導出路４２には、注湯路２７からドレンタンク３７への逆流を防止する逆止弁４３が設けられている。なお、中和器３３の上限水位は本発明の第１の所定値の一例であり、ドレンタンク３７の上限水位は本発明の第２の所定値の一例である。また、第１水位センサ３５，３５は本発明の第１水位検出手段の一例であり、第２水位センサ３８は本発明の第２水位検出手段の一例である。さらに、ドレンタンク３７は本発明のドレン貯留手段の一例である。
【００１４】
また図１に示すように第１三方切替弁１７には、後述するように第１三方切替弁１７が備える弁体の回転角度を所定の回転角度に制御する第１角度制御回路６３（図２参照。）を備えた電気回路基板４５が接続されている。この電気回路基板４５には、浴室３に設置された風呂リモコン４６と、風呂給湯器２に備えられたコントローラ４７とが接続されている。風呂リモコン４６には表示画面４８が設けられている。本実施形態では、ユーザが風呂リモコン４６の運転スイッチをオン操作すると、コントローラ４７（第１演算処理部５３、図２参照。）が、風呂リモコン４６から電気回路基板４５を介して給湯開始指令信号を受信することで、出湯管から注湯路２７を介して追い焚き循環路１１に湯水が通るように各三方切替弁１７，２６，３２の弁体の回転角度を切り替える。これにより前記湯水を、出湯管から注湯路２７及び追い焚き循環路１１を通じて浴槽４に供給することで、浴槽４への湯張りを行うことができる。
【００１５】
図２には、本実施形態の給湯器付風呂装置１が、ドレンタンク３７の内部に貯留したドレンを浴室３の外部へ排出するための概略制御ブロック図を示した。図２に示すように給湯器付風呂装置１は、風呂給湯器２のコントローラ４７（図１参照。）に備えられたメイン基板５１と、上述した電気回路基板４５とを備えている。
【００１６】
メイン基板５１は、電源検知回路５２と、第１演算処理部５３と、第１通信回路５４と、記憶部５５と、第２角度制御回路５６と、第３角度制御回路５７と、風呂循環ポンプ駆動回路５８と、電磁弁駆動回路５９と、表示制御回路６０とを備えている。電源検知回路５２は、風呂給湯器２の電源コードが商用交流電源のコンセントに挿入されて風呂給湯器２が通電状態であることを検出するために用いられる。第１演算処理部５３には、第１通信回路５４と、記憶部５５とが接続されている。第１通信回路５４は、電源回路基板４５に各種の信号を送信したり、該電気回路基板４５から送信された各種の信号を受信するために用いられる。記憶部５５には、ドレンタンク３７内のドレン水位が上限水位に到達したときに第１ないし第３三方切替弁１７，２６，３２の回転角度を切り替えてドレンタンク３７内のドレンを浴室３の外部へ排出する処理を実行するプログラムや、後述するようにドレンタンク３７内のドレン水位が上限水位に到達していなくても中和器３３内のドレン水位が上限水位に到達したときに、ドレンタンク３７内のドレンを浴室３の外部へ強制的に排出する処理を実行するプログラムが記憶されている。さらに、第１演算処理部５３には第２角度制御回路５６が接続され、この第２角度制御回路５６には第２三方切替弁２６が接続されている。第２角度制御回路５６は、第１演算処理部５３からの指令信号に基づいて、第２三方切替弁２６の弁体を回転させて該弁体の回転角度を所定の角度に制御する。
【００１７】
加えて、第１演算処理部５３には第３角度制御回路５７が接続され、この第３角度制御回路５７には第３三方切替弁３２が接続されている。第３角度制御回路５７は、第１演算処理部５３からの指令信号に基づいて、第３三方切替弁３２の弁体を回転させて該弁体の回転角度を所定の角度に制御する。さらには、第１演算処理部５３には風呂循環ポンプ駆動回路５８が接続され、この風呂循環ポンプ駆動回路５８には風呂循環ポンプ１４（図１参照。）が接続されている。風呂循環ポンプ駆動回路５８は、第１演算処理部５３からの指令信号に基づいて、風呂循環ポンプ１４の運転を制御する。これに加えて、第１演算処理部５３には電磁弁駆動回路５９が接続され、この電磁弁駆動回路５９には電磁弁２８（図１参照。）が接続されている。電磁弁駆動回路５９は、第１演算処理部５３からの指令信号に基づいて、電磁弁２８の開閉を制御する。また、第１演算処理部５３には、各第１水位センサ３５（図１参照。）が接続されている。本実施形態では第１演算処理部５３は、第１水位センサ３５，３５の検出水位が中和器３３の上限水位に到達したと判断すると、ドレン導出路４２と注湯路２７と追い焚き循環路１１と排出路１８とを接続するように各三方切替弁１７，２６，３２の弁体の回転角度を切り替える。これにより、ドレンタンク３７にドレンが貯留されている場合には、このドレンを、ドレン導出路４２と注湯路２７と追い焚き循環路１１とを順番に流通させた後に、排出路１８及び浴室３内に設けられて浴槽４の下側に配置される排水パン（図示せず。）の排出部を通じて浴室３の外部に排出することが可能になる。その際には、中和器３３内のドレン水位が上限水位よりも低下するように、中和器３３内のドレンを、ドレン導入管３６によりドレンタンク３７に導くことができる。さらに、第１演算処理部５３には第２水位センサ３８〜４０（図１参照。）が接続されている。本実施形態では第１演算処理部５３は、第２水位センサ３８の検出水位がドレンタンク３７の上限水位に到達したと判断すると、第１水位センサ３５，３５の検出水位が中和器３３の上限水位に到達したと判断した場合と同様にして、ドレンタンク３７に貯留したドレンを浴室３の外部へ排出する。さらに加えて、第１演算処理部５３には表示制御回路６０が接続され、この表示制御回路６０には、風呂リモコン４６の表示画面４８（図１参照。）が接続されている。表示制御回路６０は、第１演算処理部５３からの指令信号に基づいて、表示画面４８に異常内容を示すエラーコードを表示させるように制御する。
【００１８】
図２に示すように電気回路基板４５は、第２通信回路６１と、第２演算処理部６２と、第１角度制御回路６３とを備えている。第２通信回路６１は、メイン基板５１の第１通信回路５４及び第２演算処理部６２に接続されている。第２通信回路６１は、前記第１通信回路５４に各種の信号を送信したり、該第１通信回路５４から送信された各種の信号を受信するために用いられる。第２演算処理部６２には第１角度制御回路６３が接続され、この第１角度制御回路６３には第１三方切替弁１７が接続されている。第１角度制御回路６３は、第２演算処理部６２からの指令信号に基づいて、第１三方切替弁１７の弁体を回転させて該弁体の回転角度を所定の角度に制御する。
【００１９】
次に、図３及び図４を用い、メイン基板５１の第１演算処理部５３が、ドレン導入管３６が詰まる詰まり異常が発生しているかあるいは第２水位センサ３８の異常が発生しているかを判別する処理の例を説明する。従来は、中和剤の使用に伴って該中和剤の粒径が減少することや、中和器３３に異物が混入したことが原因となって、図１に示す中和器３３から漏れ出た中和剤や異物がドレン導入管３６に溜まる結果ドレン導入管３６が詰まる詰まり異常が発生することがあった。このような場合には、本明細書の背景技術の項で述べたように、第２水位センサ３８の検出水位がドレンタンク３７の上限水位に到達しておらず、第１水位センサ３５，３５の検出水位が中和器３３の上限水位に到達した状態になることがある。一方、例えば第２水位センサ３８の断線が原因となって、第２水位センサ３８の異常が発生した場合にも、背景技術の項で述べたように、本来は第２水位センサ３８の検出水位がドレンタンク３７の上限水位に到達しているにもかかわらず、これを検出できず、中和器３３にもドレンが受け入れられていることにより、第１水位センサ３５，３５の検出水位が中和器３３の上限水位に到達した状態になることがある。このように、詰まり異常の発生時と第２水位センサ３８の異常の発生時とでは、第１水位センサ３５，３５や第２水位センサ３８の検出状態が同じになることがあるため、従来の技術では、詰まり異常が発生しているか、それとも第２水位センサ３８の異常が発生しているかを判別できないという問題があった。この問題を解決するために、本実施形態では、第２水位センサ３８の検出水位がドレンタンク３７の上限水位に到達しておらず、第１水位センサ３５，３５の検出水位が中和器３３の上限水位に到達した状態になると、第１演算処理部５３が以下に説明する処理を行って、詰まり異常が発生しているかあるいは第２水位センサ３８の異常が発生しているかを判別可能にした。
【００２０】
第１演算処理部５３は、所定の時間毎に記憶部５５に記憶されたプログラムに基づいて、図３に示すスタートから図３及び図４に示すエンドまでの処理を繰り返し実行する。図３に示すように第１演算処理部５３は、ドレンタンク３７に設けられた第２水位センサ３８（図１参照。）の検出水位が上限水位に到達したか否か判断する（Ｓ１）。ここでは第１演算処理部５３は、第２水位センサ３８から受信した水位検出信号がドレンタンク３７内のドレン水位が前記上限水位に到達したことを示すハイレベル信号であるか否かを判断する。
【００２１】
Ｓ１において、第１演算処理部５３が前記ハイレベル信号を受信せず、第２水位センサ３８の検出水位が上限水位に到達していないと判断した場合には、中和器３３に設けられた第１水位センサ３５，３５（図１参照。）の検出水位が上限水位に到達したか否かを判断する（Ｓ２）。ここでは第１演算処理部５３は、第１水位センサ３５，３５から、第１水位センサ３５，３５同士の間が導通したことを検出した導通検出信号を受信したか否かを判断する。
【００２２】
Ｓ１において、第２水位センサ３８の検出水位が上限水位に到達していないと判断したにもかかわらず、Ｓ２において、第１演算処理部５３が前記導通検出信号を受信して、第１水位センサ３５，３５の検出水位が上限水位に到達していると判断した場合には、詰まり異常あるいは第２水位センサ３８の異常が発生している可能性がある。このため、以下で述べる排出運転処理（Ｓ３）以降の処理により、異常の発生を知らせる処理や発生した異常に応じて適切な処理を実行する。Ｓ２において、第１水位センサ３５，３５の検出水位が上限水位に到達していると判断した場合には、排出運転処理（Ｓ３）を実行する。この排出運転処理（Ｓ３）では、以下に説明するように、ドレンタンク３７に貯留したドレンを、浴室３内の排水パンによって受けた後に浴室３の外部に排出することと、このドレンの排出後に出湯管からの湯水によって追い焚き循環路１１内を洗浄することとの双方を行う。本実施形態では、第１演算処理部５３は、Ｓ１において第２水位センサ３８の検出水位が上限水位に到達していないと判断した場合であっても、Ｓ２におて第１水位センサ３５，３５の検出水位が上限水位に到達していると判断すれば、強制的にドレンタンク３７からドレンを排出する。なお、第１演算処理部５３は本発明のドレン排出制御手段の一例である。
【００２３】
この排出運転処理（Ｓ３）では、以下に説明する処理を実行する。第１演算処理部５３は、弁体の駆動指令信号を第２及び第３角度制御回路５６，５７（図２参照。）に送信する。これに加えて第１演算処理部５３は、弁体の駆動指令信号を、図２に示す第１及び第２通信回路５４，６１、第２演算処理部６２を通じて第１角度制御回路６３に送信する。続いて第２角度制御回路５６は、第２三方切替弁２６に弁体を回転させるモータの駆動信号を送信して、該弁体を回転させて回転角度を切り替えることで、この第２三方切替弁２６を介して図１に示す注湯路２７と追い焚き循環路１１とを接続する。加えて第３角度制御回路５７は、第３三方切替弁３２に弁体を回転させるモータの駆動信号を送信して、該弁体を回転させて回転角度を切り替えることで、この第３三方切替弁３２を介して図１に示すドレン導出路４２と注湯路２７とを接続する。さらに第１角度制御回路６３は、第１三方切替弁１７に弁体を回転させるモータの駆動信号を送信して、該弁体を回転させて回転角度を切り替えることで、この第１三方切替弁１７を介して図１に示す追い焚き循環路１１（往き管１２）と排出路１８とを接続する。その後に第１演算処理部５３が、駆動指令信号を風呂循環ポンプ駆動回路５８に送信する。続いて、風呂循環ポンプ駆動回路５８が図１に示す風呂循環ポンプ１４に駆動信号を送信することで、該風呂循環ポンプ１４を駆動させる。すると、ドレンタンク３７に貯留したドレンが、ドレン導出路４２と注湯路２７と追い焚き循環路１１とを順番に流通した後に、排出路１８及び浴室３内の排水パンに設けられた排出部を通じて浴室３の外部に排出される。
【００２４】
これに加えて排出運転処理（Ｓ３）では、ドレンが浴室３の外部に排出された後に、第１演算処理部５３が、第３三方切替弁３２の弁体を回転させる駆動指令信号を第３角度制御回路５７に送信する。その後に第３角度制御回路５７は、第３三方切替弁３２の弁体を回転させるモータの駆動信号を送信して、該弁体を回転させて回転角度を切り替えることで、この第３三方切替弁３２を介して出湯管と注湯路２７とを接続する。そして、第１演算処理部５３が、開弁指令信号を電磁弁駆動回路５９に送信する。続いて、電磁弁駆動回路５９が図１に示す電磁弁２８に駆動信号を送信して該電磁弁２８を開弁した後に、第１演算処理部５３から風呂循環ポンプ駆動回路５８に送信される駆動指令信号に応じ、風呂循環ポンプ１４を駆動させる。これにより、出湯管からの湯水を、注湯路２７を介して追い焚き循環路１１内に流通させる。したがって、この湯水によって追い焚き循環路１１内を洗浄できる。なお、Ｓ２において第１演算処理部５３が、第１水位センサ３５，３５の検出水位が上限水位に到達していないと判断した場合には、前記Ｓ１の判断に戻る処理を実行する。
【００２５】
排出運転処理（Ｓ３）の後には、該排出運転処理（Ｓ３）を行うことにより、中和器３３内のドレン水位が上限水位よりも低下するように、中和器３３内のドレンが、図１に示すドレン導入管３６に導かれる結果、中和器３３の第１水位センサ３５，３５の検出水位が上限水位よりも低下したか否かを判断する（Ｓ４）。ここでは第１演算処理部５３が、第１水位センサ３５，３５同士の間が導通せず、第１水位センサ３５，３５から前記導通検出信号を受信しないことを判断する。
【００２６】
Ｓ４において、第１演算処理部５３が、前記導通検出信号を受信せず、第１水位センサ３５，３５の検出水位が上限水位よりも低下したと判断した場合には、第１演算処理部５３は、第２水位センサ３８の異常が発生したために、Ｓ１において該第２水位センサ３８の検出水位が上限水位に到達していないと判断したと判別する。このとき、第１演算処理部５３は第２水位センサ異常報知処理（Ｓ５）を実行する。第２水位センサ異常報知処理（Ｓ５）では、以下に説明するように、風呂リモコン４６の表示画面４８（図１及び図２参照。）に、第２水位センサ３８の異常を示すエラーコード（ここでは「Ｅ１」）を表示するようにしている。このように本実施形態ではユーザは、表示画面４８に表示されたエラーコード「Ｅ１」を確認することにより、第２水位センサ３８の異常が発生していることを簡単に知ることができる。これにより、ユーザに第２水位センサ３８の点検や補修を促すことができる。なお、第１演算処理部５３は本発明の判別手段の一例であり、表示画面４８は本発明の報知手段の一例である。
【００２７】
具体的にはこの第２水位センサ異常報知処理（Ｓ５）では、以下に説明する処理を実行する。第１演算処理部５３が、排出運転処理（Ｓ３）を行った後に、前記導通検出信号を受信できない場合には、該第１演算処理部５３が、エラーコード「Ｅ１」を表示画面４８に表示させることを指示する表示指令信号を表示制御回路６０に送信する。続いて表示制御回路６０が、エラーコード「Ｅ１」を表示画面４８に表示するための表示制御信号を該表示画面４８に送信して、表示画面４８にエラーコード「Ｅ１」を表示するようにしている。なお、第２水位センサ異常報知処理（Ｓ５）の後には、前記Ｓ１の判断に戻る処理を実行する。
【００２８】
一方、上記のＳ４において第１演算処理部５３が、前記導通検出信号を受信して、第１水位センサ３５，３５の検出水位が上限水位よりも低下していないと判断した場合には、第１演算処理部５３は、ドレン導入管３６が詰まる詰まり異常が発生したために、排出運転処理（Ｓ３）を行っても、第１水位センサ３５，３５の検出水位が上限水位よりも低下しなかったと判別する。このとき、第１演算処理部５３はドレン導入管詰まり異常報知処理（Ｓ６）を実行する。ドレン導入管詰まり異常報知処理（Ｓ６）では、以下に説明するように、前記表示画面４８に、ドレン導入管３６の詰まり異常を示すエラーコード（ここでは「Ｅ２」）を表示するようにしている。ユーザは、表示画面４８に表示されたエラーコード「Ｅ２」を確認することにより、ドレン導入管３６の詰まり異常が発生していることを簡単に知ることができる。
【００２９】
具体的にはこのドレン導入管詰まり異常報知処理（Ｓ６）では、以下に説明する処理を実行する。第１演算処理部５３が、排出運転処理（Ｓ３）を行った後に、前記導通検出信号を受信した場合には、該第１演算処理部５３が、エラーコード「Ｅ２」を表示画面４８に表示させることを指示する表示指令信号を表示制御回路６０に送信する。続いて表示制御回路６０が、エラーコード「Ｅ２」を表示画面４８に表示するための表示制御信号を該表示画面４８に送信して、表示画面４８にエラーコード「Ｅ２」を表示するようにしている。
【００３０】
ドレン導入管詰まり異常報知処理（Ｓ６）の後には第１演算処理部５３が、燃焼停止処理（Ｓ７）を実行する。この燃焼停止処理（Ｓ７）では、第１演算処理部５３が、上述した風呂給湯器２の第１バーナへのガス供給路を閉鎖することにより、第１バーナへのガスの供給を停止させる。これにより、第１バーナの燃焼を停止させる。このように本実施形態では第１演算処理部５３は、ドレン導入管３６の詰まり異常が発生していると判別すると第１バーナの燃焼を停止させるため、第１バーナの燃焼ガスが液化してドレンが発生することがない。よって、前記詰まり異常が発生した状態で、中和器３３がドレンを受け入れることがないので、ドレンが中和器３３から溢れることを防止できる。なお、第１演算処理部５３は本発明の燃焼停止手段の一例である。
【００３１】
またＳ１において、第２水位センサ３８の検出水位が上限水位に到達していると判断した場合には、図４に示すように排出運転処理（Ｓ１１）を実行する。この排出運転処理（Ｓ１１）では、上述した排出運転処理（Ｓ３）と同様の処理がなされる。
【００３２】
排出運転処理（Ｓ１１）の後には、該排出運転処理（Ｓ１１）を行うことにより、ドレンタンク３７内のドレン水位が低下する結果、ドレンタンク３７の第２水位センサ３８の検出水位が上限水位よりも低下したか否かを判断する（Ｓ１２）。ここでは第１演算処理部５３が、第２水位センサ３８から上述のハイレベル信号を受信したか否かを判断する。
【００３３】
Ｓ１２において、第１演算処理部５３が、前記ハイレベル信号を受信して、第２水位センサ３８の検出水位が上限水位よりも低下していないと判断した場合には、第１演算処理部５３は、例えば、ドレンタンク３７の下部に接続されたドレン導出路４２（図１参照。）が詰まるという異常が原因で、排出運転処理（Ｓ１１）を行ってもドレンタンク３７内の水位が低下しないため、Ｓ１２において第２水位センサ３８の検出水位が上限水位よりも低下しないと判別する。このとき、第１演算処理部５３は排出運転異常報知処理（Ｓ１３）を実行する。排出運転異常報知処理（Ｓ１３）では、以下に説明するように、表示画面４８（図１参照。）に排出運転の異常を示すエラーコード（ここでは「Ｅ３」）を表示するようにしている。ユーザは、表示画面４８に表示されたエラーコード「Ｅ３」を確認することにより、排出運転の異常が発生していることを簡単に知ることができる。
【００３４】
具体的にはこの排出運転異常報知処理（Ｓ１３）では、以下に説明する処理を実行する。第１演算処理部５３が、排出運転処理（Ｓ１１）を行った後に、前記ハイレベル信号を受信した場合には、該第１演算処理部５３が、エラーコード「Ｅ３」を表示画面４８に表示させることを指示する表示指令信号を表示制御回路６０に送信する。続いて表示制御回路６０が、エラーコード「Ｅ３」を表示画面４８に表示するための表示制御信号を該表示画面４８に送信して、表示画面４８にエラーコード「Ｅ３」を表示するようにしている。
【００３５】
排出運転異常報知処理（Ｓ１３）の後には第１演算処理部５３が、燃焼停止処理（Ｓ１４）を実行する。この燃焼停止処理（Ｓ１４）では、上述した燃焼停止処理（Ｓ７）と同様の処理がなされて、風呂給湯器２の第１バーナの燃焼を停止させる。このように本実施形態では第１演算処理部５３は、排出運転の異常が発生すると、第１バーナの燃焼を停止させることによりドレンを発生させることがない。よって、例えばドレン導出路４２が詰まったままの状態で、中和器３３がドレンを受け入れることがない。これにより、ドレンが、ドレンタンク３７及び中和器３３を満たして該中和器３３から溢れることを防止できる。
一方、Ｓ１２において第１演算処理部５３が、ハイレベル信号を受信せず、第２水位センサ３８の検出水位が上限水位よりも低下したと判断した場合には、この判断から所定時間の経過後に、第２水位センサ３９の検出水位が下限水位よりも低下したか否かを判断する（Ｓ１５）。ここでは第１演算処理部５３が、第２水位センサ３９から受信した水位検出信号がドレンタンク３７内のドレン水位が前記下限水位を上回ることを示すハイレベル信号であるか否かを判断する。Ｓ１５において、第１演算処理部５３が、該ハイレベル信号を受信して、第２水位センサ３９の検出水位が下限水位よりも低下していないと判断した場合には、第２水位センサ異常報知処理（Ｓ１６）を実行する。この第２水位センサ異常報知処理（Ｓ１６）では、上述した第２水位センサ異常報知処理（Ｓ５）と同様の方法により、風呂リモコン４６の表示画面４８（図１参照。）に、第２水位センサ３９の異常を示すエラーコード（ここでは「Ｅ４」）を表示するようにしている。このように本実施形態ではユーザは、表示画面４８に表示されたエラーコード「Ｅ４」を確認することにより、第２水位センサ３９の異常が発生していることを簡単に知ることができる。これにより、ユーザに第２水位センサ３９の点検や補修を促すことができる。なお、Ｓ１５において第１演算処理部５３が、第２水位センサ３９から前記ハイレベル信号を受信せず、第２水位センサ３９の検出水位が下限水位よりも低下したと判断した場合には、図１に示すＳ１の判断に戻る処理を実行する。
【００３６】
＜本実施形態の効果＞
本実施形態の給湯器付風呂装置１では、図３中の排出運転処理（Ｓ３）によって、ドレンタンク３７に貯留したドレンを追い焚き循環路１１の外部に排出した後に、図３中のＳ４において、中和器３３に設けられた第１水位センサ３５，３５の検出水位が上限水位よりも低下したか否かを判断することに基づいて、ドレン導入管３６の詰まり異常が発生しているかあるいは第２水位センサ３８の異常が発生しているかを簡単に判別できる。加えて、ドレン導入管３６の詰まり異常が発生していると判別したときとは異なり、図３中のＳ４において、第２水位センサ３８の異常が発生していると判別したときには、図３中の燃焼停止処理（Ｓ７）を実行しないため、第１バーナの燃焼を停止させることがない。よって、第２水位センサ３８の異常が発生しているときには、給湯器付風呂装置１の給湯運転を継続できるため、この給湯器付風呂装置１の使い勝手が良くなる。
【００３７】
また、図３中のＳ４において、第１演算処理部５３が、中和器３３に設けられた第１水位センサ３５，３５の検出水位が上限水位よりも低下していないと判断することにより、ドレン導入管３６の詰まり異常が発生していると判別したときに、図３中の燃焼停止処理（Ｓ７）によって、風呂給湯器２の第１バーナの燃焼を停止させる。すると、第１バーナの燃焼ガスが液化してドレンが発生することがない。よって、前記詰まり異常が発生した状態で、中和器３３がドレンを受け入れることがない。したがって、ドレンが中和器３３から溢れることを防止できる。
【００３８】
さらに、図３中の第２水位センサ異常報知処理（Ｓ５）によって、風呂リモコン４６の表示画面４８に、第２水位センサ３８の異常を示すエラーコード「Ｅ１」を表示すれば、ユーザは、表示画面４８に表示されたエラーコード「Ｅ１」によって、第２水位センサ３８の異常が発生していることを簡単に知ることができる。これにより、ユーザに第２水位センサ３８の点検や補修を促すことができる。
【００３９】
本発明は、上述した実施形態に限定されるものではなく発明の趣旨を逸脱しない範囲内において構成の一部を適宜変更して実施できる。上述した実施形態では、浴室３に設置された風呂リモコン４６の表示画面４８に、第２水位センサ３８の異常を示すエラーコード「Ｅ１」等を表示する例を示したが、これに限らない。例えば、風呂リモコン４６以外にも、浴槽４への湯張りを行うための運転スイッチを備えた給湯リモコンを台所に設置して、この給湯リモコンの表示画面にも、前記エラーコード「Ｅ１」等を表示するようにしてもよい。
【００４０】
また、上述した実施形態とは異なり、風呂リモコン４６や給湯リモコンにスピーカをそれぞれ設けて、各スピーカから第２水位センサ３８の異常等を知らせる音声を発することにより、ユーザに異常が発生していることを報知してもよい。これ以外にも、例えば風呂リモコン４６や給湯リモコンに発光ダイオード（ＬＥＤ）をそれぞれ設けて、異常の内容毎に各ＬＥＤの発光態様を異ならせることにより、ユーザにいずれの異常が発生しているかを報知してもよい。さらに、風呂リモコン４６や給湯リモコンに、エラーコードを表示する表示画面に加えて、スピーカやＬＥＤを設けてもよい。
【００４１】
加えて、上述した実施形態では、風呂給湯器２内に、顕熱回収用熱交換器と潜熱回収用熱交換器７とを別体にして設けた例を示したが、これに限らず、顕熱回収用熱交換器と潜熱回収用熱交換器７とを一体にして風呂給湯器２内に設けてもよい。さらに加えて、上述した実施形態では、第３三方切替弁３２を介してドレン導出路４２と注湯路２７とを接続可能としたが、これに代えて、三方切替弁を介してドレン導出路４２と追い焚き循環路１１とを接続可能としてもよい。
【００４２】
また、上述した実施形態とは異なり風呂給湯器２内では、追い焚き熱交換器１０に代えて、第２バーナの燃焼ガスの上流側に顕熱回収用熱交換器を配設し、前記燃焼ガスの下流側に潜熱回収用熱交換器を配設してもよい。さらに、上述した実施形態とは異なり、第１水位センサ３５，３５や第２水位センサ３８〜４０以外にも、例えばレーザ光を利用した光波式水位計測装置やこれ以外の水位計測装置によって、ドレンの水位を検出してもよい。
【符号の説明】
【００４３】
１・・給湯器付風呂装置、４・・浴槽、７・・潜熱回収用熱交換器、１１・・追い焚き循環路、１８・・排出路、２７・・注湯路、３３・・中和器、３５・・第１水位センサ、３６・・ドレン導入管、３７・・ドレンタンク、３８・・第２水位センサ、４２・・ドレン導出路、４６・・風呂リモコン、４８・・風呂リモコンの表示画面、５３・・第１演算処理部。
【図１】
2015098957.tif 000003
【図２】
2015098957.tif 000004
【図３】
2015098957.tif 000005
【図４】
2015098957.tif 000006